(57)【要約】【課題】パチンコ台の枠体或いはガラス窓のロックを一斉に解除し、メンテナンス時にいちいち１台づつロックを解除する手間を省く。【解決手段】遊技場内に設置された総てのパチンコ台２、２・・に、それぞれキー４を第１のキー穴３に差し込んで電気信号を送り込み、枠体又はガラス窓２ａのロックを解除する第１の解錠手段に加え、島１の端にも、第２のキー穴５にキー４を差し込んで電気信号を送り込むことにより枠体又はガラス窓２ａのロックを解除する遠隔操作タイプの第２の解錠手段を設ける。第２の解錠手段は、その島１に設置されているパチンコ台総ての枠体又はガラス窓２ａのロックを一斉に解除する機能を有する。【選択図】    図１
2004267640.tif 000002
【特許請求の範囲】
【請求項１】
遊技場内に設置された総ての遊技機に、それぞれキー操作でダイレクトに枠体及び／又はガラス窓のロックを解除する第１の解錠手段と、遠隔操作で枠体或いはガラス窓のロックを解除する第２の解錠手段とを併設し、第２の解錠手段は、少なくとも複数の遊技機を一単位としたグループを一括して解除可能とした遊技機の解錠装置。
【請求項２】
グループが、島単位で指定される請求項１に記載した遊技機の解錠装置。
【請求項３】
グループが、総ての遊技機を一単位として指定される請求項１に記載した遊技機の解錠装置。
【請求項４】
グループが、呼び出しランプの点灯している台を一単位として指定される請求項１に記載した遊技機の解錠装置。
【請求項５】
グループ単位で指定した場合、そのグループ内の遊技機のロックを一斉に解除する請求項２〜４のいずれかに記載した遊技機の解錠装置。
【請求項６】
グループ単位で指定した場合、そのグループ内の遊技機のロックを端から順に解除する請求項２〜４のいずれかに記載した遊技機の解錠装置。
【請求項７】
グループ単位選択専用の操作部を別途設けた請求項１〜７のいずれかに記載した遊技機の解錠装置。
【発明の詳細な説明】
【０００１】
【発明の属する技術分野】
本発明は、遊技場（パチンコホールを始めとする各種遊技機が設置された施設）内に設置される遊技機の解錠装置に関する。
【０００２】
【従来の技術】
パチンコホールを例に採ると、遊技場内では多数のパチンコ台が島毎に複数台づつに分けられ、電気的配線と共に、遊技玉の供給路と排出経路とが接続され、いつでもプレー可能な状態で設置されている。
パチンコ台は、プレー中に遊技玉が釘の間に挟まって停滞したり、入賞しても遊技玉が出てこないなどのトラブルが発生した場合に対応可能とすべく、枠体或いはガラス窓を開閉できるようになっており、それらの枠体或いはガラス窓は施錠機構によってロックされている。
個々のパチンコ台には、キーによって前記ロックを解除する解錠手段が標準装備されていて、その標準装備されている解錠手段はキー操作した台の施錠機構のみを対象としている。
【０００３】
【特許文献】
特開平５−２９３２３６号公報
【０００４】
【発明が解決しようとする課題】
プレー中に生じたトラブルの対応には、前記標準装備されている解錠手段さえあれば充分対応できる。
しかし枠体或いはガラス窓の開閉は、プレー中のトラブル対応のみに限られず閉店後のメンテナンス時にも必要となる。
メンテナンスにおいて、１台づつキーを使ってロックを解除し、枠体或いはガラス窓を開いて調整をしていては効率が悪い。
既存の解錠手段に代え、キーを使用することなく制御室から一括管理する方式を採用すれば、調整の都度１台づつ開かなくても済むが、標準装備の解錠手段が利用できなくなると、トラブルがある度に台の番号を制御室に報告し、制御室から解錠操作しなくてはならくなってしまうので、素早い対応はできなくなる。
【０００５】
【課題を解決するための手段】
そこで本発明は、キーを使用する既存の解錠装置を残したまま、新たな解錠装置を付加することで、メンテナンス時における解錠操作の効率を高めたもので、その構成は、遊技場内に設置された総ての遊技機に、それぞれキー操作でダイレクトに枠体及び／又はガラス窓のロックを解除する第１の解錠手段と、遠隔操作で枠体或いはガラス窓のロックを解除する第２の解錠手段とを併設し、第２の解錠手段は、少なくとも複数の遊技機を一単位としたグループを一括して解除可能としたことにある。
【０００６】
前記グループは、島単位で指定したり、総ての遊技機を一単位として指定したり、呼び出しランプの点灯している台を一単位として選択したりできる。
又、グループ単位で指定した場合、そのグループ内の遊技機のロックを一斉に解除させたり、グループ内の遊技機のロックを端から順に解除させたりすることもできる。
更に、第２の解錠手段には、グループ単位選択専用の操作部を別途設けることが望ましい。
【０００７】
【発明の実施の形態】
本発明に係る遊技機の解錠装置をパチンコ台に実施した形態を図面に基づいて説明する。
図１は、パチンコホール内に設置されたパチンコ台を示したもので、各島１．１・・にはそれぞれ通路側に向けてパチンコ台２，２・・が隣り合わせに設置されている。
各パチンコ台２，２・・には、それぞれ前面右サイドの部分に解錠操作用の第１のキー穴３が設けられており、裏側には、その第１のキー穴３にキー４を差し込んで電気信号を送り込むことにより、例えば特開平５−２９３２３６号公報に開示されている解錠機構のように、電気信号でモータ（図示せず）を動作させて枠体或いはガラス窓２ａのロックを個々に解除する第１の解錠手段が組み込まれている。
【０００８】
又、各島１，１・・の端部壁面には解錠操作用の第２のキー穴５が設けられており、その第２のキー穴５にキー４を差し込んで電気信号を送り込むことによっても、その電気信号で前記第１の解錠手段で使用されるモータと同一のモータを動作させてガラス窓２ａのロックを遠隔操作で解除する第２の解錠手段が設置されている。
この第２の解錠手段は、特定の台番号を指定することによりその番号に対応する台の枠体或いはガラス窓のロックを外すモードと、その島１に設置されたパチンコ台２，２・・総てのガラス窓２ａのロックを一斉に解除するモードとが選択可能となっている。
尚、前記キー４には、ガラス窓用と枠体用とを選択するスイッチが内蔵されており、枠体のロック解除も可能になっている。
【０００９】
このように形成された解錠装置は、プレー中に遊技球が釘の間に挟まって停滞したり、遊技球の払い出しがされない場合などのトラブルが生じた場合は、これまで通りお客からの要請により駆け付け、第１のキー穴３にキー４を差し込んでそのトラブルが生じた台の枠体或いはガラス窓２ａのロックを外した対応できる。
【００１０】
閉店時、台のメンテナンスを行う場合は、第２のキー穴５にキー４を差し込んで総てのパチンコ台を一括して指定し、パチンコ台総ての枠体或いはガラス窓のロックを一斉に解除することができるので、わざわざ台に近づく必要がないし、一斉に解除すれば、メンテナンス作業の効率向上に有効となる。
【００１１】
前記実施例は、第１の解錠手段に、キーから送り込まれた電気信号によりモータを駆動させてロックを外す機構を採用し、第２の解錠手段とその機構を兼用させているが、第１の解錠手段には、キーを回動操作する既存のシリンダ式錠前を利用することもできる。
又、第１の解錠手段と第２の解錠手段とは、一部の機構を兼用するばかりでなく、総ての機構を兼用したり、全く別の機構とすることもできる。
【００１２】
ここで、キーを回動操作する既存のシリンダ式錠前を第１の解錠手段とし、その第１の解錠手段を、枠体専用の第２の解錠手段に利用した一例について説明する。
図２は、枠体を半開き状態にて示したパチンコ台であって、このパチンコ台は、島に形成されたマウント部に嵌め込んで設置するための基枠６に、枠体７が側縁を支点として回動自在に組み付けられ、又その枠体７には、ガラス窓８（２ａ）が側縁を支点として回動自在に組み付けられている。
前記枠体７には、枠内いっぱいにパチンコ台の顔ともいえる遊技盤（セル盤）が装備されており、その遊技盤の裏面には、遊技球の供給、回収及び払い出し機構に加え、大当たりの抽選や絵柄表示、ライトの点滅などを司る制御基盤、発射装置などが取り付けられている。
【００１３】
前記枠体７は、一般的なパチンコ台と同様、キーの回動操作で爪付きカム９を回動させることにより、裏面側縁に配置されているスライドプレート１０を上下に移動させ、そのスライドプレート１０に連結された係止爪１１による枠体７のロックを解除することが可能になっている。
又前記爪付きカム９は、枠体７裏面の側縁から延出されたプレート状アーム１２の先端に取り付けられたモータ１３の回動力を、クラッチ機構１４とフレキシブルシャフト１５とを介して伝達することにより、前記モータ１３で枠体７のロックを解除できるようにもなっている。
尚、前記爪付きカム９は、キー操作の回動方向を逆にすれば、ガラス窓のロック解除もできるが、ここではガラス窓のロック解除についての説明を省略する。
【００１４】
前記クラッチ機構１４は、図３に示すように、フレキシブルシャフト１５の先端部が遊挿された筒状の摺動部材１６に、への字状に屈曲した長穴１７を設け、前記摺動部材１６に遊挿されたフレキシブルシャフト１５の先端部分に、前記長穴１７を貫通させたピン１８を打ち込むことにより、フレキシブルシャフト１５と摺動部材１６とをピン１８によって連結した構造になっている。
前記爪付きカム９は摺動部材１６に取り付けられており、キーによって回動操作される回動軸と、フレキシブルシャフト１５とピン１８で連結されている摺動部材１６との対抗面にはいずれも噛み合い歯が形成さており、長穴１７は、へ字状の頂点が対向側と逆の方向を向いている。
【００１５】
このように形成されたクラッチ機構１４は、枠体７がロックされている状態において、爪付きカム９と摺動部材１６とが連結、つまりクラッチがつながった状態に保たれている（図３のａ）。
この状態において、キー４を第１のキー５に差し込んで回動操作すれば、爪付きカム９がその爪付きカム９に連結されている摺動体１６，フレキシブルシャフト１５などと一緒に回動し、枠体のロックを解除する手動式として機能する。
【００１６】
電気信号がモータに送られてフレキシブルシャフト１５が回動されると、ピン１８は、長穴１７の内を相対的に移動するので、第一段階では、摺動部材１６が対向側と逆方向に引き戻され、つまり噛み合い歯が外れてクラッチが切れた状態となる。（図３のｂ）。
ピン１８が長穴１７の終端部に到達した第２段階では、摺動部材１６を供回りさせるので、爪付きカム９も回動し、枠体７のロックが解除される（図３のｃ）。
【００１７】
第２の解錠手段は開店中に利用されることがないので、前記実施例のようにグループ単位選択専用の操作部を別途設けることが望ましく、第２のキー穴５を島の端など目に付きやすいところに設ける場合は、図示のように蓋付き構造を採用できる。
しかしながら第２のキー穴は、悪戯や不正を完全に防止することが難しく、プレー中に誤って操作でもされると、とんでもないことに成り兼ねない。
そこで第２の解錠手段は、制御室で一括管理することが望ましい。
【００１８】
図４は第２の解錠手段を制御室で一括管理するシステム例を示したもので、制御室１９では各パチンコ台２１、２２，２３・・に対応したスイッチが設けられており、特定の１台のみや、複数台のパチンコ台を一単位としたグループを指定して枠体及び／又はガラス窓のロックを解除することができるようになっている。
このようにすることで、前記のように島単位のグループや、総てのパチンコ台を一単位としたグループなど、目的に応じて選択指定することが可能である。
【００１９】
制御室からは枠体及び／又はガラス窓のロック状態を直接見ることができないので、総てのパチンコ台、或いは複数のパチンコ台を指定した場合、指定された台総ての枠体及び／又はガラス窓のロックが一斉に解除される場合は、解除動作の不良な台があっても即座に確認しずらい。
そこで制御室にロック解除の確認ランプを設けたり、指定されたグループのパチンコ台２１、２２，２３・・に対し、枠体及び／又はガラス窓を端から一台づつロックの解除を確認しつつ解錠するようプログラムすれば、解除動作の不良があれば即座に発見することができる。
【００２０】
メンテナンスは、定期的な点検で総ての台をチェックするばかりでなく、トラブルの回数や出球率などといった台の履歴を参考に、調整の必要性がある台のみをピックアップして点検することもある。
そのような要求にも対応できるよう、図５に示すように、あらかじめ呼び出しランプ２０，２０・・を点灯させておくことでグループを指定できるようにすれば、点検が必要な台のみのロックを外すことができ、点検の際、いちいち台の番号を確認しなくともロックの外れている台のみを点検すればよくなり、作業は捗る。
【００２１】
前記実施例はパチンコ台について説明したが、本発明は遊技機全般に有効な技術であって、スロットマシン、パチスロ機など、パチンコ台以外の遊技機にも適用される。
尚、遠隔操作で枠体或いはガラス窓のロックを解除する機構については、モータ以外にソレノイドやエアーシリンダなどのアクチュエータも利用できる。
【００２２】
【発明の効果】
以上詳述したように、本発明によれば、台に近寄り、キー操作にて枠体或いはガラス窓のロックを解除する従来の使用形態に加え、遠隔操作でも枠体或いはガラス窓のロックを解除することができ、而も遠隔操作では、選択した指定したグループに含まれる遊技機総ての枠体或いはガラス窓のロックを外すことができるので、メンテナンス時に１台づつ開く手間が省け、作業効率がよい。
そして端から順に解除するようにすれば、ロックの解除不良があったことをいち早く察知しやすいし、呼び出しランプが点灯している台を１単位としたグループとして選択できるようにすれば、点検の必要な台の枠体或いはガラス窓のロックのみが外れ、台の番号確認が不要となる。
【図面の簡単な説明】
【図１】本発明の解錠装置を示した説明図である。
【図２】解錠手段の一例を示した説明図である。
【図３】解錠手段の動作説明図である。
【図４】解錠装置のシステム説明図である。
【図５】解錠装置のシステム説明図である。
【符号の説明】
１，１１，１２、１３・・島、２、２１，２２，２３・・パチンコ台、２ａ、８・・ガラス窓、３・・第１のキー穴、４・・キー、５・・第２のキー穴、６・・基枠、７・・枠体、９・・爪付きカム、１０・・スライドプレート、１１・・係止爪、１２・・プレート状アーム、１３・・モータ、１４・・クラッチ機構、１５・・フレキシブルシャフト、１６・・摺動体、１７・・長穴、１８・・ピン、１９・・制御室、２０・・呼び出しランプ。
【図１】
2004267640.tif 000003
【図２】
2004267640.tif 000004
【図３】
2004267640.tif 000005
【図４】
2004267640.tif 000006
【図５】
2004267640.tif 000007